(57)【特許請求の範囲】
【請求項１】
ボールを保持するペン芯と、ボールペンインキを内部に充填するボールペン軸筒及びこれらを一体に連通固持してなる継ぎ筒から構成されるボールペンにおいて、上記継ぎ筒の連通孔内に、弾性体よりなり、一方の開口部に開閉自在となる開閉弁を形成してなる筒状の逆流防止弁を内装すると共に、この逆流防止弁の開口部に形成される開閉弁に対して重力方向に移動して当接自在となる重錘を、継ぎ筒内に配設するリブと逆流防止弁により形成される空間内に収容してなる中性ボールペンインキの逆流防止装置。
【請求項２】
ボールを保持するペン芯と、このペン芯を一体に保持孔内に保持し、ボールペンインキを内部に充填するボールペン軸筒から構成されるボールペンにおいて、上記ボールペン軸筒の保持孔内に、弾性体よりなり、一方の開口部に開閉自在となる開閉弁を形成してなる筒状の逆流防止弁を内装すると共に、この逆流防止弁の開口部に形成される開閉弁に対して重力方向に移動して当接自在とし、内部軸方向にインキ流通部を設ける重錘を、ペン芯後端部と逆流防止弁とにより形成される空間内に収容してなる油性ボールペンインキの逆流防止装置。
【請求項３】
筒状の逆流防止弁に代え、筒体の中空孔内に、両端に栓体を具えるスライド杆をスライド自在に遊嵌してなるものとし、ペン芯側栓体とペン芯後端部との間に形成される空間内に、重力の方向に従って移動し、スライド弁を構成するペン芯側の栓体に当接自在となる重錘を収容してなる請求項１または請求項２記載のボールペンインキの逆流防止装置。
【発明の詳細な説明】
【０００１】
【発明の属する技術分野】
この発明は、ボールペン内に内蔵され、必要に応じてインキの逆流を防止するボールペンインキの逆流防止装置の構造に関する。
【０００２】
【従来の技術】
従来、ボールペン内に内蔵され、必要に応じてボールペンインキ（以下、「インキ」とする。）の逆流を防止するインキの逆流防止装置には、一般的にボール弁が使用されており、このボール弁の移動によってペン芯とインキを貯溜するボールペン軸筒との間で、必要に応じてインキの流通、遮断を行い、インキの逆流防止を行っている。
【０００３】
【発明が解決しようとする課題】
しかしながら、上記従来のインキの逆流防止装置に使用されるボール弁では、インキの流通を図るボールペン軸筒内の連通孔の口径に合わせる必要があることから、必然的にボール弁のボールの直径が小さいものになるため、ペン芯とボールペン軸筒との間を流通するインキの中性と油性の違い、すなわちインキの有する粘度により、ボール弁のボールの移動時間が大きくなり、ボール弁のボールがボールペン軸筒の連通孔に密嵌することなく、本来ボール弁のボールにより閉塞されるはずのボールペン軸筒の連通孔が開放されたままの状態となってしまい、多量のインキが軸筒内に流入し、インキの漏出等の不具合を招き、確実にインキの逆流を防止することができないという恐れがある。
【０００４】
また、ボール弁においては、ボールペン軸筒の連通孔との密嵌により連通孔を閉塞することでインキの逆流を防止するものであるが、ボール弁のボールに長期間の使用による傷や変形、又は乾燥して固着したインキによる不作動が生じた場合には、ボールペン軸筒の連通孔の閉塞は確実に行うことができず、インキの逆流を確実に防止することができないという問題もある。
【０００５】
そこで、この発明は上記従来のものの持つ欠点を改善するものであり、簡単な構造により、ペン芯とボールペン軸筒との間でのインキの逆流を確実に防止することができるようにするものである。
【０００６】
【課題を解決するための手段】
そのために、ボールを保持するペン芯と、インキを内部に充填するボールペン軸筒及びこれらを一体に連通固持してなる継ぎ筒から構成されるボールペン又はペン芯とボールペン軸筒から構成されるボールペンにおいて、上記継ぎ筒の連通孔又はボールペン軸筒内に、弾性体よりなり、一方の開口部に開閉自在となる開閉弁を形成してなる筒状の逆流防止弁を内装すると共に、この逆流防止弁の開口部に形成される開閉弁に対して重力方向に移動して当接自在となる中実体又はインキ流通部を設ける重錘を収容してなるものである。
【０００７】
また、ボールを保持するペン芯と、インキを内部に充填するボールペン軸筒及びこれらを一体に連通固持してなる継ぎ筒から構成、又はボールを保持するペン芯と、このペン芯を一体に保持孔内に保持し、インキを内部に充填するボールペン軸筒から構成されるボールペンにおいて、この継ぎ筒の連通孔又はボールペン軸筒内に、弾性体である中空孔を有する筒体と、この中空孔内に、両端に栓体を一体に成形するスライド杆をスライド自在に遊嵌してなるスライド弁を保持すると共に、ペン芯側栓体とペン芯後端部との間に形成される空間内に、重力の方向に従って移動し、スライド弁を構成するペン芯側の栓体に当接自在となる内部の軸方向にインキ流通部を具える重錘を収容してなるものである。
【０００８】
【発明の実施の形態】
この発明の実施にあたり、ボールペンを使用するためにペン芯を下方に向けると、ペン芯とボールペン軸筒とを一体に連通固持してなる継ぎ筒の連通孔又はボールペン軸筒の内にあるインキの逆流防止装置を構成する重錘はペン芯方向に重力に従って移動することとなるので、この継ぎ筒又はボールペン軸筒内に収容される重錘と共に内装される逆流防止弁の一方の開口部において開閉自在の開閉弁がその弾性により開放し、ボールペン軸筒内に貯溜するインキは、ボールペン軸筒内からペン芯方向に向かって継ぎ筒の連通孔及び重錘とリブとの間の空隙を介して流入し、十分に供給されるものとなるので、円滑にペン芯による筆記を行うことができ、特にインキが油性であってインキ自体の粘度が著しく高い場合には、ボールペン軸筒内の逆流防止弁の開閉弁に当接する重錘の内部軸方向にインキ流通部を有することとして、粘度の高い油性のインキをより円滑にペン芯に対して供給することができるものである。
【０００９】
また、使用後には、ボールペンを垂直状態に置くことにより、継ぎ筒又はボールペン軸筒先端内にあるインキは、重錘の移動により開放している逆流防止弁の開閉弁からボールペン軸筒内に収容されると共に、ペン芯方向に重力により移動していた重錘は、継ぎ筒の連通孔又はボールペン軸筒内に形成される空間を重力に従ってインキの逆流防止装置を構成する逆流防止弁の開放されていた開閉弁をその開閉弁が有する弾性に抗して押勢し閉塞するものとなることから、継ぎ筒を介するボールペン軸筒からペン芯へのインキの逆流によるインキの漏出等の不具合を防止できる。尚、逆流防止弁において一体に成形される開閉弁を、別体の弾性体による開閉弁を取り付けるものとすることで（図７）、開閉弁の開閉に伴う材質の劣化を最小限のものとして、長期間にわたって正確な開閉弁の作動を確保することができる。
【００１０】
更に、インキの逆流防止装置を、弾性体である中空孔を有する筒体と、この中空孔内に、両端に栓体を形成するスライド杆を遊嵌してなるスライド弁を保持すると共に、ペン芯側栓体とペン芯後端部との間に形成される空間内に、重力の方向に従って移動し、スライド弁を構成するペン芯側の栓体に当接自在となる中実体又は筒状の重錘を収容してなるものとすることで、使用又は使用後に、ペン芯が上方又は下方に向き、その状態に対応して重錘が重力方向に移動することで、スライド弁を構成する栓体から離脱、又は栓体に当接するものとなって、両端に栓体を形成するスライド杆自体を移動させることで、筒体の両端の開口部をスライド杆の両端の栓体により交互に密閉自在としてなるものとなる、すなわち、ボールペンによる筆記を行うためにペン芯を下方に向けた場合には、ペン芯側栓体とペン芯後端部との間に形成される空間内に収容される重錘もスライド杆前方の栓体より離脱して下方に向かって移動し、筒体に保持されるスライド杆が中空孔内を下方に向かって移動するので、十分にペン芯に対してインキを供給して円滑な筆記を確保すると共に、過剰なインキの供給を抑制し、インキの漏出等を防止するものであり、又逆に使用後にペン芯を上方に向けた場合には、ペン芯方向に流出していたインキは中空孔を介してボールペン軸筒内に収容されると共に、中空孔内にスライド自在に遊嵌されるスライド杆は、重力方向に従ってペン芯方向に移動していた重錘が再びボールペン軸筒方向に向かって移動すると共に、ペン芯方向の栓体に当接しつつ押勢するので、このスライド杆の移動に伴ってペン芯側の栓体は弾性を持って密着して筒体のペン芯側の開口部を閉塞するものとなり、ペン芯への不用意なインキの供給を防止して、インキの漏出等の不具合を防止することができるものとなる。
【００１１】
【実施例】
この発明を図に示す実施例により更に説明する。（１）はこの発明の第１実施例であるボールペンであり、このボールペン（１）は、ボール（３）を保持するペン芯（２）と、インキ（５）を内部に充填するボールペン軸筒（４）及びこれらを一体に連通固持してなる継ぎ筒（６）から構成されるものである。
【００１２】
そして、この発明の第１実施例であるボールペン（１）内のインキ逆流防止装置（９）は、上記継ぎ筒（６）の連通孔（７）内において、弾性体よりなり、一方の開口部（１１）に開閉自在となる開閉弁（１２）を形成する筒状の逆流防止弁（１０）を内装すると共に、この逆流防止弁（１０）の開口部（１１）に形成される開閉弁（１２）に対して重力方向に移動して当接自在となる重錘（１３）を、継ぎ筒（６）の連通孔（７）内に配設するリブ（８）と逆流防止弁（１０）により形成される空間（１４）に収容してなるものである。
【００１３】
この発明の第１実施例であるボールペン（１）は以上の構成を具えるので、このボールペン（１）を使用するためにペン芯（２）を下方に向けると、ペン芯（２）とボールペン軸筒（４）とを一体に連通固持してなる継ぎ筒（６）の連通孔（７）内にあるインキ逆流防止装置（９）を構成する中実体の重錘（１３）は、重力に従ってペン芯（２）方向へ移動することとなるので、この継ぎ筒（６）内に収容される重錘（１３）と共に内装される弾性体の逆流防止弁（１０）の一方の開口部（１１）に一体に成形される開閉自在の開閉弁（１２）がその弾性により開放する結果、ボールペン軸筒（４）内に貯溜するインキ（５）は、ボールペン軸筒（４）内からペン芯（２）に向かって継ぎ筒（６）の連通孔（７）及び、重錘（１３）がペン芯（２）方向へ移動することにより連通孔（７）内に配設するリブ（８）との間の生じる空隙（１５）を介してペン芯（２）方向に流入し、十分に供給されるものとなるので、円滑にペン芯（２）による筆記を行うことができる（図２参照）。
【００１４】
また、使用後には、このボールペン（１）のペン芯（２）を上方に向けて垂直状態に置くことにより、継ぎ筒（６）の連通孔（７）内にあるインキ（５）は、ペン芯（２）方向への重錘（１３）の移動により開放している逆流防止弁（１０）の開閉弁（１２）の開口部（１１）からボールペン軸筒（４）内に収容されると共に、ペン芯（２）方向に重力により移動していた重錘（１３）は、継ぎ筒（６）の連通孔（７）内に形成される空間（１４）を重力に従って移動し、インキ逆流防止装置（９）を構成する逆流防止弁（１０）の開放されていた開閉弁（１２）をその開閉弁（１２）が有する弾性に抗して押勢し閉塞するものとなることから、継ぎ筒（６）の連通孔（７）を介するボールペン軸筒（４）からペン芯（２）へのインキ（５）の供給は確実に遮断され、インキ（５）の逆流による漏出等の不具合を防止できるものである（図３参照）。
【００１５】
尚、この発明の第１実施例であるボールペン（１）を構成する継ぎ筒（６）の連通孔（７）内のインキ逆流防止装置（９）を構成する逆流防止弁（１０）において、その開口部（１１）を開閉自在とする一体に成形される開閉弁（１２）を、図７において示すように、別体の弾性体による開閉弁（１２’）を取り付けるものとすることで、開閉弁（１２’）の開閉に伴う材質の劣化を最小限のものとして、長期間にわたって正確な開閉弁（１２’）の作動を確保することができる。
【００１６】
図４において示すものは、この発明の第２実施例であるボールペン（１’）であり、このボールペン（１’）は、ボールを保持するペン芯（２）と、このペン芯（２）を一体に保持孔（１６）内に保持し、インキ（５）特に油性インキを内部に充填するボールペン軸筒（４）から構成されるものであって、この発明の第２実施例であるボールペン（１’）のインキ逆流防止装置（９’）は、上記ボールペン軸筒（４）の保持孔（１６）内に、弾性体よりなり、一方の開口部（１１）に開閉自在となる開閉弁（１２）を一体に成形してなる筒状の逆流防止弁（１０）を内装すると共に、この逆流防止弁（１０）の開口部（１１）に一体に成形される開閉弁（１２）に対して重力方向に移動して当接自在とし、内部に油性インキ（５）の流通する軸方向のインキ流通部としてインキ流通孔（１８’）を穿設する筒状の重錘（１７）を、ペン芯（２）の後端部と逆流防止弁（１０）とにより形成される空間（１４）内に収容してなるものである。
【００１７】
この発明の第２実施例であるボールペン（１’）内のインキ逆流防止装置（９’）は以上の構成を具えるので、このボールペン（１’）の使用に当たって、ペン芯（２）を下方に向けることにより、この発明の第１実施例であるボールペン（１）と同様に、ボールペン軸筒（４）の保持孔（１６）内の重錘（１７）が重力に従ってペン芯（２）方向へ移動することで、同様にボールペン軸筒（４）の保持孔（１６）内に内装される逆流防止弁（１０）の開口部（１１）を閉塞している開閉弁（１２）がその弾性により開放し、ボールペン軸筒（４）内に充填されるインキ（５）はペン芯（２）に対して供給されるものとなって、円滑な筆記を可能とすると共に、この逆流防止弁（１０）の開口部（１１）の開閉を行う開閉弁（１２）に当接する重錘（１７）は筒状となって、その内部にインキ流通孔（１８’）を穿設するものであるから、ボールペン軸筒（４）内のインキ（５）が油性である場合のように粘度が著しく高い場合には、この重錘（１７）のインキ流通孔（１８’）を介してインキ（５）がより十分かつ円滑に供給されるものとなるので、ボールペン（１）のペン芯（２）による筆記を確実に行うことができる（図５参照）。
【００１８】
またこの発明の実施例であるボールペン軸筒（４）の保持孔（１６）内にあるインキ逆流防止装置（９’）を構成する逆流防止弁（１０）の開閉弁（１２）を、第１実施例のインキ逆流防止装置（９）でも述べたように、図７において示す、別体の弾性体による開閉弁（１２’）を取り付けるものとすることで、開閉弁（１２’）の開閉に伴う材質の劣化を最小限のものとして、同様に長期間にわたって正確な開閉弁（１２’）の作動を確保することができる。
【００１９】
図８において示すものは、この発明の第３実施例であるボールペン（１”）であり、このボールペン（１”）は、ボール（３）を保持するペン芯（２）と、このペン芯（２）を一体に保持孔（１６）内に保持し、インキ（５）を内部に充填するボールペン軸筒（４）から構成されるものであって、このボールペン（１”）内のインキ逆流防止装置（９”）は、このボールペン軸筒（４）の保持孔（１６）内に、弾性体である筒体（２０）と、この筒体（２０）の中空孔（２１）内に、両端に栓体（２３）（２４）を形成するスライド杆（２２）を遊嵌してなるスライド弁（１９）を保持すると共に、ペン芯側の栓体（２３）とペン芯（２）の後端部との間に形成される空間（１４）内に、重力の方向に従って移動し、スライド弁（１９）を構成するペン芯（２）側の栓体（２３）に当接自在となる重錘（１７）を収容し、この重錘（１７）には、軸方向のインキ流出部としてインキ流通溝（１８”）が設けられる。
【００２０】
この発明の実施例であるボールペン（１”）内のインキ逆流防止装置（９”）が以上の構成を具えるので、ボールペンによる筆記を行うためにペン芯（２）を下方に向けた場合には、ペン芯側の栓体（２３）とペン芯（２）の後端部との間に形成される空間（１４）内に収容されるインキ流通溝（１８”）を有する重錘（１７）は、スライド弁（１９）を構成するスライド杆（２２）前方の栓体（２３）より離脱してペン芯方向、すなわち下方に向かって移動し、筒体（２０）の中空孔（２１）内に保持されるスライド杆（２２）も筒体（２０）の中空孔（２１）内を同様に下方に向かって移動するものであるので、中空孔（２１）内を下方に向かって移動するスライド杆（２２）の後方、すなわちボールペン軸筒側の栓体（２４）が、ボールペン軸筒（４）内に内装される弾性の筒体（２０）のボールペン軸筒方向の開口部（２５）に若干の間隙をもって対向し、十分にペン芯（２）に対してインキ（５）を供給して円滑な筆記を確保するものである。
【００２１】
また逆に、ボールペン（１”）の使用後にペン芯（２）を上方に向けた場合には、ペン芯（２）方向に流出していたインキはスライド弁（１９）を構成する筒体（２０）の中空孔（２１）を介してボールペン軸筒（４）内に収容されると共に、この筒体（２０）の中空孔（２１）にスライド自在に遊嵌されるスライド杆（２２）は、重力方向に従ってペン芯（２）方向に移動していた重錘（１７）が再びボールペン軸筒（４）方向に向かって移動した上で、ペン芯方向の栓体（２３）に当接しつつ押勢するものとなるので、このスライド杆（２２）の移動に伴ってペン芯側の栓体（２３）は弾性を持って密着して、筒体（２０）の中空孔（２１）のペン芯側の開口部（２６）を閉塞するものとなり、ペン芯（２）への不用意なボールペン軸筒（４）内に貯溜するインキ（５）の供給を防止して、インキ（５）の漏出等の不具合を防止することができるものとなる。尚、上記スライド杆（２２）の重量を充分な重量をもつものとすれば、重錘（１７）をもたないでもインキの漏出を防止できる。
【００２２】
【発明の効果】
以上のとおり、ボールペン内に内蔵されるインキの逆流防止装置を、その開口部において開閉弁を有する弾性体よりなる逆流防止弁と、この逆流防止弁の開閉弁に対して重力により当接あるいは離脱するものとなって開閉を行い、又は保持体内にスライド自在に遊嵌される両端に開口部を閉塞自在とする栓体を一体に成形するスライド杆からなるスライド弁と、このスライド弁を構成するスライド杆の両端に一体に成形される栓体に重力により移動する重錘の当接あるいは離脱により開閉を行い、ボールペン軸筒内に貯溜するインキのペン芯側への流入を調整するものとすることで、確実に過剰なインキのペン芯側への流入を防ぎ、インキの漏出等の不具合を阻止することができる優れた効果を有するものである。
【図面の簡単な説明】
【図１】  この発明の第１実施例であるボールペン内に内蔵されるインキ逆流防止装置の要部拡大断面図である。
【図２】  そのボールペン使用時におけるインキ逆流防止装置の作動状態を示す要部拡大断面図である。
【図３】  そのボールペン使用後におけるインキ逆流防止装置の作動状態を示す要部拡大断面図である。
【図４】  この発明の第２実施例であるボールペン内に内蔵されるインキ逆流防止装置の要部拡大断面図である。
【図５】  そのボールペン使用時におけるインキ逆流防止装置の作動状態を示す要部拡大断面図である。
【図６】  そのボールペン使用後におけるインキ逆流防止装置の作動状態を示す要部拡大断面図である。
【図７】  第１実施例及び第２実施例のボールペン内に内蔵されるインキ逆流防止装置を構成する逆流防止弁の変形例その拡大断面図である。
【図８】  この発明の第３実施例であるボールペン内に内蔵されるインキ逆流防止装置の要部拡大断面図である。
【図９】  そのボールペン使用時における作動状態を示す要部拡大断面図である。
【図１０】  そのボールペン使用後におけるインキ逆流防止装置の作動状態を示す要部拡大断面図である。
【図１１】  第３実施例における収容する重錘の斜視図。
【符号の説明】
１  ボールペン
２  ペン芯
３  ボール
４  ボールペン軸筒
５  インキ
６  継ぎ筒
７  連通孔
８  リブ
９、９’、９” インキ逆流防止装置
１０  逆流防止弁
１１  開口部
１２  開閉弁
１３．１７  重錘
１４  空間
１５  空隙
１６  （ボールペン軸筒の）保持孔
１８’、１８”  インキ流通部（インキ流通孔，インキ流通溝）
１９  スライド弁
２０  筒体
２１  中空孔
２２  スライド杆
２３  （ペン芯側の）栓体
２４  （ボールペン軸筒側の）栓体
２５  （ボールペン軸筒側の）開口部
２６  （ペン芯側の）開口部
【図１】
0003780464.tif 000002
【図２】
0003780464.tif 000003
【図３】
0003780464.tif 000004
【図４】
0003780464.tif 000005
【図５】
0003780464.tif 000006
【図６】
0003780464.tif 000007
【図７】
0003780464.tif 000008
【図８】
0003780464.tif 000009
【図９】
0003780464.tif 000010
【図１０】
0003780464.tif 000011
【図１１】
0003780464.tif 000012